(57)【要約】【課題】操作者側が、次の章や作品を指定してその表示を指示するといった手間を掛けることなく、次の章や作品を読めるようにする。【解決手段】本発明は、複数のページで構成される情報を表示する表示装置に適用される。本発明の表示装置は、互いに重ね合わされた複数の表示媒体と、最前面の表示媒体の下層に位置する表示媒体のうちの先頭の表示媒体に、該最前面の表示媒体に表示した最前面ページが属するグループの次位のグループに属する先頭ページを表示する制御部と、を有する。【選択図】図２
2013068890.tif 000002
【特許請求の範囲】
【請求項１】
複数のページで構成される情報を表示する表示装置であって、
互いに重ね合わされた複数の表示媒体と、
最前面の表示媒体の下層に位置する表示媒体のうちの先頭の表示媒体に、該最前面の表示媒体に表示した最前面ページが属するグループの次位のグループの先頭ページを表示する制御部と、を有する表示装置。
【請求項２】
前記制御部は、
前記最前面の表示媒体の下層に位置する表示媒体の各々に、前記最前面ページが属するグループの次位以降のグループの各々の先頭ページを順番に表示する、請求項１に記載の表示装置。
【請求項３】
前記情報を構成する各ページは、該情報を互いに異なる単位でグループ分けした複数のグループに属するものであり、
前記制御部は、
前記最前面の表示媒体の下層に位置する表示媒体の各々に、前記最前面ページが属する複数のグループの各々の次位のグループの各々に属する先頭ページを、グループ分けした単位が小さな順番に表示する、請求項１に記載の表示装置。
【請求項４】
前記制御部は、
前記表示媒体の捲り状況を監視しており、
前記表示媒体の捲り状況に基づいて、前記最前面の表示媒体の下層に位置する表示媒体の各々に表示するページを決定する、請求項２または３に記載の表示装置。
【請求項５】
前記制御部は、
前記最前面の表示媒体上で所定の操作が行われると、前記最前面の表示媒体に、前記最前面ページの次のページを表示する、請求項１から４のいずれか１項に記載の表示装置。
【請求項６】
互いに重ね合わされた複数の表示媒体を有し、複数のページで構成される情報を表示する表示装置による表示方法であって、
最前面の表示媒体の下層に位置する表示媒体のうちの先頭の表示媒体に、該最前面の表示媒体に表示した最前面ページが属するグループの次位のグループに属する先頭ページを表示する、表示方法。
【請求項７】
互いに重ね合わされた複数の表示媒体を有し、複数のページで構成される情報を表示する表示装置に、
最前面の表示媒体の下層に位置する表示媒体のうちの先頭の表示媒体に、該最前面の表示媒体に表示した最前面ページが属するグループの次位のグループに属する先頭ページを表示する手順を実行させるためのプログラム。
【発明の詳細な説明】
【技術分野】
【０００１】
本発明は、情報を表示する表示装置、表示方法およびプログラムに関する。
【背景技術】
【０００２】
近年、情報を表示する表示装置として、複数の薄い表示媒体から構成され、複数の表示媒体の各々に情報を表示するものが提案されている（例えば、特許文献１参照。）。
【０００３】
なお、本明細書では、表示装置を閉じた状態で一番上位にある表示媒体、または、操作者に面して一番上位にある表示媒体を最上層とし、逆方向にある表示媒体を下層にあると定義する。また、表示装置を開いた状態で、表示媒体の情報を表示する表示部の全面が操作者から視認可能となる表面上に位置する表示媒体を最前面と定義する。
【先行技術文献】
【特許文献】
【０００４】
【特許文献１】特開２００３−５８０８１号公報
【発明の概要】
【発明が解決しようとする課題】
【０００５】
ところで、特許文献１に開示されたような表示装置にて、複数のページからなる情報を表示する場合、複数の表示媒体には、例えば、最前面の表示媒体から下層に位置する表示媒体に向けて、各ページを順番に表示する構成とすることが考えられる。
【０００６】
しかし、この構成では、操作者が次の章や作品を読む場合には、次の章や作品までのページ分の表示媒体を捲るといった操作や、次の章や作品を指定してその表示を指示するといった操作が必要であり、その手間が掛かってしまうという問題点がある。
【０００７】
そこで、本発明の目的は、上述した課題を解決することができる表示装置、表示方法およびプログラムを提供することにある。
【課題を解決するための手段】
【０００８】
本発明の表示装置は、
複数のページで構成される情報を表示する表示装置であって、
互いに重ね合わされた複数の表示媒体と、
最前面の表示媒体の下層に位置する表示媒体のうちの先頭の表示媒体に、該最前面の表示媒体に表示した最前面ページが属するグループの次位のグループに属する先頭ページを表示する制御部と、を有する。
【０００９】
本発明の表示方法は、
互いに重ね合わされた複数の表示媒体を有し、複数のページで構成される情報を表示する表示装置による表示方法であって、
最前面の表示媒体の下層に位置する表示媒体のうちの先頭の表示媒体に、該最前面の表示媒体に表示した最前面ページが属するグループの次位のグループに属する先頭ページを表示する。
【００１０】
本発明のプログラムは、
互いに重ね合わされた複数の表示媒体を有し、複数のページで構成される情報を表示する表示装置に、
最前面の表示媒体の下層に位置する表示媒体のうちの先頭の表示媒体に、該最前面の表示媒体に表示した最前面ページが属するグループの次位のグループに属する先頭ページを表示する手順を実行させる。
【発明の効果】
【００１１】
本発明によれば、互いに重ね合わされた複数の表示媒体を有する表示装置において、最前面の表示媒体の下層に位置する表示媒体のうちの先頭の表示媒体に、最前面の表示媒体に表示している最前面ページが属するグループの次位のグループに属する先頭ページを表示する。
【００１２】
これにより、操作者は、次の章や作品までのページ分の表示媒体を捲ったり、次の章や作品を指定してその表示を指示したりするという手間を掛けずに、最前面の表示媒体を捲るだけで、次の章や作品を読むことができるという効果が得られる。
【図面の簡単な説明】
【００１３】
【図１】本発明の一実施形態の表示装置の外観図である。
【図２】図１に示した表示装置の機能ブロック図である。
【図３】図２に示した記憶部が記憶するテーブルを示す図である。
【図４】図１に示した表示装置の動作例１の流れを説明するフローチャートである。
【図５】図１に示した表示装置の動作例１の具体例Ａを説明する図である。
【図６】図１に示した表示装置の動作例１の具体例Ｂを説明する図である。
【図７】図１に示した表示装置の動作例２の流れを説明するフローチャートである。
【図８Ａ】図１に示した表示装置の動作例２の具体例ａを説明する図である。
【図８Ｂ】図１に示した表示装置の動作例２の具体例ａを説明する図である。
【発明を実施するための形態】
【００１４】
以下に、本発明を実施するための形態について図面を参照して説明する。
（１）本実施形態の構成
図１は、本実施形態の表示装置１の外観図である。
【００１５】
図１に示すように、本実施形態の表示装置１は、互いに重ね合わされた表示媒体１０−１〜１０−５（以下、どの表示媒体か特定しないときは表示媒体１０と称す）と、表示媒体１０−１〜１０−５の一辺を保持する保持部２０と、を有している。なお、図１においては、表示媒体１０が５つである場合を例に挙げて示しているが、表示媒体１０の数は２つ以上であれば良い。
【００１６】
表示媒体１０−１〜１０−５は、画像や文字等の情報を表示する表示部を備え、また、操作者の指やペンによる表示部への接触、さらには接触された位置を検出するタッチセンサを備えるタッチパネル式の表示媒体であり、例えば、電子ペーパー等である。なお、表示部は、表面、裏面少なくともいずれか一方の面上に実装されていれば良い。
【００１７】
また、表示媒体１０−１〜１０−５は、表示面側の右隅に光センサ１１が配置されており、表示媒体１０が最前面に位置しているときに、この光センサ１１で外来光を検出する。なお、光センサ１１の位置は、右隅に限定されず、表示媒体１０が最前面に位置しているときに外来光を検出可能な位置に配置されていれば良い。
【００１８】
保持部２０は、表示媒体１０−１〜１０−５が着脱可能であり、かつ、見開き可能に表示媒体１０−１〜１０−５を保持することも可能とする。
【００１９】
図２は、本実施形態の表示装置１の機能ブロック図である。
【００２０】
図２に示すように、本実施形態の表示装置は、表示媒体１０−１〜１０−５と、記憶部３０と、制御部４０と、を有している。なお、記憶部３０および制御部４０は、図１に示した保持部２０の内部に設けられている。
【００２１】
表示媒体１０−１〜１０−５は、上述のように、光センサ１１が配置される他、操作者の指やペンによるタッチ操作を検出するタッチセンサ１２を備える。なお、タッチセンサ１２は、タッチ操作を検出した位置を制御部４０に通知する。
【００２２】
記憶部３０は、表示媒体１０−１〜１０−５に表示する情報を記憶する。
【００２３】
本実施形態においては、表示媒体１０−１〜１０−５に表示する情報は、複数ページからなる情報であり、各ページは、章単位、作品単位でそれぞれグループ分けされた計２つのグループに属するものとする。
【００２４】
また、記憶部３０は、図３に示すように、各ページが属するグループを示すテーブルを記憶する。
【００２５】
図３において、例えば、ページ１は、作品１というグループと、作品１の第１章というグループに属している。また、ページ９は、作品１というグループと、作品１の第２章というグループに属している。また、ページ３０は、作品２というグループと、作品２の第１章というグループに属している。
【００２６】
制御部４０は、表示媒体１０−１〜１０−５に配置された各光センサ１１の外来光の検出結果に基づいて、光センサ１１で外来光を検出した表示媒体１０を、最前面に位置していると判断する。
【００２７】
また、制御部４０は、表示媒体１０−１〜１０−５に配置された各光センサ１１の外来光の検出結果に基づいて、表示媒体１０−１〜１０−５の捲り状況を判断する。
【００２８】
具体的には、例えば、制御部４０は、表示媒体１０−１の光センサ１１で外来光が検出された後に、表示媒体１０−２の光センサ１１で外来光が検出された場合、表示媒体１０−１のみが捲られたと判断する。また、表示媒体１０−１の光センサ１１で外来光が検出された後に、表示媒体１０−３の光センサ１１で外来光が検出された場合、表示媒体１０−１，１０−２がまとめて捲られたと判断する。
【００２９】
また、制御部４０は、表示媒体１０−１〜１０−５にページを表示させる。
【００３０】
本実施形態においては、制御部４０は、最前面の表示媒体１０の下層に位置する表示媒体１０のうちの先頭の表示媒体１０に、最前面の表示媒体１０に表示しているページが属するグループの次位のグループに属する先頭ページを表示する。
【００３１】
例えば、最前面の表示媒体１０に、作品１の第１章のページ１を表示したとする。この場合、制御部４０は、その下層に位置する表示媒体１０には、作品１の第１章というグループの次位のグループ（次章）にあたる作品１の第２章のグループの先頭ページであるページ９を表示したり、作品１というグループの次位のグループ（次作品）にあたる作品２のグループの先頭ページであるページ３０を表示したりする。
【００３２】
これにより、操作者は、次の章や作品までのページ分の表示媒体１０を捲ったり、次の章や作品を指定してその表示を指示したりするという手間を掛けずに、最前面の表示媒体１０を捲るだけで、次の章や作品を読むことができる。
【００３３】
また、制御部４０は、最前面の表示媒体１０上で、操作者が所定の操作（例えば、表示媒体１０に接触させた指やペンを特定方向にはらう操作。いわゆる、フリック操作）を行った場合、最前面の表示媒体１０に次のページを表示する。
（２）本実施形態の動作
以下、本実施形態の表示装置１の動作について説明する。
（２−１）動作例１
図４は、本実施形態の表示装置１の動作例１の流れを説明するフローチャートである。
【００３４】
図４に示すように、まず、制御部４０は、表示媒体１０−１〜１０−５に配置された各光センサ１１の外来光の検出結果に基づいて、最前面の表示媒体１０を特定する（ステップＳ１１）。
【００３５】
続いて、制御部４０は、記憶部３０に記憶されたテーブルを基に、最前面の表示媒体１０に表示しているページが属するグループを特定する（ステップＳ１２）。
【００３６】
続いて、制御部４０は、ステップＳ１２で特定したグループと、記憶部３０に記憶されたテーブルとを基に、最前面の表示媒体１０の下層に位置する各表示媒体１０に表示するページを特定する（ステップＳ１３）。
【００３７】
その後、制御部４０は、最前面の表示媒体１０の下層に位置する各表示媒体１０に、ステップＳ１３で特定したページを表示する（ステップＳ１４）。
【００３８】
以下、動作例１について具体例を挙げて説明する。
（２−１−１）具体例Ａ
具体例Ａは、最前面の表示媒体１０の下層に位置する表示媒体１０の各々に、最前面の表示媒体１０に表示しているページが属するグループの各々の次位のグループの各々の先頭ページを、グループ分けした単位が小さい順番に表示する例である。
【００３９】
図５に示すように、まず、制御部４０は、最前面の表示媒体１０を表示媒体１０−１と特定する。表示媒体１０−１には、作品１の第１章のページ１が表示されているものとする。
【００４０】
続いて、制御部４０は、記憶部３０に記憶されたテーブルを参照して、ページ１が属するグループとして、作品１の第１章というグループと、作品１というグループと、を特定する。
【００４１】
続いて、制御部４０は、記憶部３０に記憶されたテーブルをさらに参照して、作品１の第１章というグループの次位のグループ（次章）にあたる作品１の第２章の先頭のページ９を特定すると共に、作品１というグループの次位のグループ（次作品）にあたる作品２の先頭のページ３０を特定する。
【００４２】
その後、制御部４０は、作品１の次章の第２章の先頭のページ９を記憶部３０から読み出し、表示媒体１０−１の下層に位置する表示媒体１０−２に表示すると共に、次作品の作品２の先頭のページ３０を記憶部３０から読み出し、表示媒体１０−２の下層に位置する表示媒体１０−３に表示する。
（２−１−２）具体例Ｂ
具体例Ｂは、最前面の表示媒体１０の下層に位置する表示媒体１０の各々に、最前面の表示媒体１０に表示しているページが属するグループの次位以降のグループの各々の先頭ページを順番に表示する例である。
【００４３】
図６に示すように、まず、制御部４０は、最前面の表示媒体１０を表示媒体１０−１と特定する。表示媒体１０−１には、作品１の第１章のページ１が表示されているものとする。
【００４４】
続いて、制御部４０は、記憶部３０に記憶されたテーブルを参照して、ページ１が属するグループとして、作品１の第１章というグループと、作品１というグループと、を特定する。
【００４５】
続いて、制御部４０は、記憶部３０に記憶されたテーブルをさらに参照して、作品１の第１章というグループの次位のグループ（次章）にあたる作品１の第２章の先頭のページ９を特定すると共に、作品１の第１章というグループの次々位のグループ（次々章）にあたる作品１の第３章の先頭のページ１６を特定する。
【００４６】
その後、制御部４０は、作品１の次章の第２章の先頭のページ９を記憶部３０から読み出し、表示媒体１０−１の下層に位置する表示媒体１０−２に表示すると共に、作品１の次々章の第３章の先頭のページ１６を記憶部３０から読み出し、表示媒体１０−２の下層に位置する表示媒体１０−３に表示する。
【００４７】
なお、具体例Ｂでは、最前面の表示媒体１０−１の下層に位置する表示媒体１０−２〜１０−５のうち表示媒体１０−２，１０−３のみにページを表示したが、以降のページ（ここでは、第４章、第５章のグループの先頭ページ）を表示媒体１０−４，１０−５に表示しても良い。
【００４８】
また、上述した具体例Ａ，Ｂのいずれで動作をするかの設定は、予め記憶部３０に記憶されているものとする。
（２−２）動作例２
制御部４０は、上述のように、表示媒体１０−１〜１０−５の捲り状況を判断することが可能である。
【００４９】
動作例２は、表示媒体１０−１〜１０−５の捲り状況に基づいて、最前面の表示媒体１０の下層に位置する各表示媒体１０に表示するページを決定する例である。
【００５０】
図７は、本実施形態の表示装置１の動作例２の流れを説明するフローチャートである。
【００５１】
図７に示すように、まず、図４に示した動作例１と同様に、ステップＳ１１〜Ｓ１４の処理が行われる。
【００５２】
ここで、制御部４０は、表示媒体１０−１〜１０−５に配置された各光センサ１１の外来光の検出結果に基づいて、最前面の表示媒体１０が捲られたと判断すると（ステップＳ１５のＹｅａ）、新たに最前面に位置することになった表示媒体１０を特定する（ステップＳ１６）。
【００５３】
続いて、制御部４０は、記憶部３０に記憶されたテーブルを基に、最前面の表示媒体１０に表示しているページが属するグループを特定する（ステップＳ１７）。
【００５４】
続いて、制御部４０は、ステップＳ１７で特定したグループと、ステップＳ１５での表示媒体１０の捲り状況と、記憶部３０に記憶されたテーブルとを基に、最前面の表示媒体１０の下層に位置する各表示媒体１０に表示するページを特定する（ステップＳ１８）。
【００５５】
その後、ステップＳ１４の処理に戻り、制御部４０は、最前面の表示媒体１０の下層に位置する各表示媒体１０に、ステップＳ１８で特定したページを表示する。
【００５６】
以下、動作例２について具体例を挙げて説明する。
（２−２−１）具体例ａ
具体例ａでは、図８Ａおよび図８Ｂに示すように、当初の最前面が表示媒体１０−１であり、表示媒体１０−１には、作品１の第１章のページ１が表示されているものとする。また、具体例Ａで動作をする旨の設定が記憶部３０に記憶されており、そのために、図５と同様に、表示媒体１０−２には、作品１の次章の２章の先頭のページ９が表示され、また、表示媒体１０−３には、次作品の作品２の先頭のページ３０が表示されているものとする。
【００５７】
上記の状態で、図８Ａに示すように、操作者が表示媒体１０−１を捲り、作品１の次章の第２章の先頭のページ９を表示している表示媒体１０−２が最前面に位置することになったとする。
【００５８】
この場合、操作者は、次にページをとばす場合、作品単位でページをとばすよりも、章単位でページをとばす可能性の方が高いと考えられる。
【００５９】
そこで、制御部４０は、作品１の次章の第３章の先頭のページ１６を、表示媒体１０−２の下層に位置する表示媒体１０−３に表示すると共に、作品１の次々章の第４章の先頭のページ２４を、表示媒体１０−３の下層に位置する表示媒体１０−４に表示する。
【００６０】
一方、上記の状態で、図８Ｂに示すように、操作者が表示媒体１０−１，１０−２をまとめて捲り、作品１の次作品の作品２の先頭のページ３０を表示している表示媒体１０−３が最前面に位置することになったとする。
【００６１】
この場合、操作者は、次にページをとばす場合、章単位でページをとばすよりも、作品単位でページをとばす可能性の方が高いと考えられる。
【００６２】
そこで、制御部４０は、作品２の次作品の作品３の先頭のページ５７を、表示媒体１０−３の下層に位置する表示媒体１０−４に表示すると共に、作品２の次々作品の作品４の先頭のページ８６を、表示媒体１０−４の下層に位置する表示媒体１０−５に表示する。
【００６３】
上述したように本実施形態においては、制御部４０は、最前面の表示媒体１０の下層に位置する表示媒体１０のうちの先頭の表示媒体１０に、最前面の表示媒体１０に表示しているページが属するグループの次位のグループに属する先頭ページを表示する。
【００６４】
例えば、最前面の表示媒体１０に、作品１の第１章のページ１を表示した場合、制御部４０は、その下層に位置する表示媒体１０には、作品１の第１章というグループの次位のグループ（次章）にあたる作品１の第２章のグループの先頭ページであるページ９を表示したり、作品１というグループの次位のグループ（次作品）にあたる作品２のグループの先頭ページであるページ３０を表示したりする。
【００６５】
これにより、操作者は、次の章や作品までのページ分の表示媒体１０を捲ったり、次の章や作品を指定してその表示を指示したりするという手間を掛けずに、最前面の表示媒体１０を捲るだけで、次の章や作品を読むことができる。
【００６６】
以上、実施形態を参照して本発明を説明したが、本発明は上記実施形態に限定されるものではない。本発明の構成や詳細には、本発明の範囲内で当業者が理解し得る様々な変更をすることができる。
【００６７】
例えば、上記実施形態においては、上記動作例２において、最前面の表示媒体１０の下層に位置する表示媒体１０には、章単位のグループに属する先頭ページを表示したが、本発明は、作品単位のグループに属する先頭ページを表示しても良い。
【００６８】
また、上記実施形態においては、表示媒体１０に表示する情報を構成する各ページが、章単位、作品単位の２つのグループに属するものとして説明したが、本発明はこれに限定されない。例えば、上記動作例１の場合は、２つ以上のグループに属していれば良く、上記動作例２の場合は、１つ以上のグループに属していれば良い。
【００６９】
例えば、情報が週刊誌や月刊誌などのコンテンツである場合、各ページは、章単位、作品単位のグループに属するだけでなく、号単位のグループに属すると考えられる（計３グループ）。この場合、上記動作例１の場合は、最前面の表示媒体１０の下層に位置する表示媒体１０には、次章の先頭ページ、次作品の先頭ページ、次号の先頭ページを順番に表示すれば良い。また、上記動作例２の場合は、章単位、作品単位、または号単位のグループの次位以降のグループの先頭ページを順番に表示すれば良い。
【００７０】
また、上記実施形態においては、光センサ１１を用いて、最前面に位置している表示媒体１０や、表示媒体１０の捲り状況を判断したが、本発明はこれに限定されない。
【００７１】
例えば、表示媒体１０の捲り状況については、タッチセンサ１２が所定のパターンを検出しても良い。
【００７２】
所定のパターンとしては、表示媒体１０の端面、端面周辺の少なくとも一方が、所定時間内に接触状態から非接触状態に変化するパターンが考えられる。このパターンの場合、表示媒体１０がパラパラと捲られたと判断することができる。
【００７３】
また、所定のパターンとしては、複数の表示媒体１０全体の前面と背面の略同じ領域が同時に接触状態になり、略同時に非接触状態に変化するパターンが考えられる。このパターンの場合、複数の表示媒体１０がまとめて捲られたと判断することができる。
【００７４】
また、タッチセンサ１２による上記の制御は、光センサ１１と併用しても良い。例えば、上記の制御は、光センサ１１により外来光を検出した表示媒体１０が関連する場合に行う。
【００７５】
また、上記実施形態において、操作者が、あるグループの先頭ページの次以降のページを読み進めたい時の制御を追加しても良い。
【００７６】
例えば、操作者が表示媒体１０内で行う所定の操作を検知すると、当該表示媒体１０内で次のページを表示することが考えられる。
【００７７】
また、最前面の表示媒体１０の下層に位置する先頭の表示媒体１０で、操作者が行う所定の操作（ページ戻りの操作）を検知すると、当該表示媒体１０内で、前グループの２ページ目を表示すると共に、次以降の表示媒体１０にはページ単位で順番に表示することが考えられる。
【００７８】
また、上記実施形態においては、最前面の表示媒体１０の下層に位置する表示媒体１０については、次位のグループの先頭ページ等のページを表示したが、必ずしも表示する必要はなく、例えば、表示の準備だけを行って、表示媒体１０が捲られて最前面に位置した時点でページを表示しても良い。すなわち、最前面の表示媒体１０の下層に位置する表示媒体１０については、ページを表示可能な状態にしておけば良い。
【００７９】
なお、本発明の表示装置１にて行われる方法は、コンピュータに実行させるためのプログラムに適用してもよい。また、そのプログラムを記憶媒体に格納することも可能であり、ネットワークを介して外部に提供することも可能である。
【符号の説明】
【００８０】
１    表示装置
１０−１〜１０−５    表示媒体
１１    光センサ
１２    タッチセンサ
２０    保持部
３０    記憶部
４０    制御部
【図１】
2013068890.tif 000003
【図２】
2013068890.tif 000004
【図３】
2013068890.tif 000005
【図４】
2013068890.tif 000006
【図５】
2013068890.tif 000007
【図６】
2013068890.tif 000008
【図７】
2013068890.tif 000009
【図８Ａ】
2013068890.tif 000010
【図８Ｂ】
2013068890.tif 000011